(57)【要約】  １個以上の品目を地中に配置または位置させるための器具および技術を提供する。１つの面では、穴を地面の中に生じさせた後に１個以上の品目を前記穴の中に位置させるための通路を与えるに適した構造の器具を作成する。１つの形態では、本器具を用いて地中に配置または位置させることができる品目には、非限定例をほんの少し挙げるとすると、農産物、例えば種または搬送用媒体などが含まれ得、前記搬送用媒体には１種以上の肥料または有害生物防除剤またはこのような物質の組み合わせが含まれる。本説明および図からさらなる態様、形態、目的、特徴、利点、面および利益が明らかになるであろう。【選択図】図１
2015531592.tif 000002
【特許請求の範囲】
【請求項１】
器具であって、
近位端と遠位端の間を伸びている１番目の細長い本体を含有していて前記１番目の細長い本体が細長い穴を含有しかつ前記細長い穴とつながっていて前記近位と遠位端の間に位置している開口部を含有する１番目の部材、
近位端と遠位端の間を伸びている２番目の細長い本体を含有する２番目の部材、
を含有して成っていて前記２番目の部材が前記１番目の部材の細長い穴の中で１番目の位置（前記１番目と２番目の部材が互いに関して軸方向に拘束されておりかつ前記２番目の部材の遠位端が前記１番目の部材の遠位端から遠く離れて位置する）と２番目の位置（前記２番目の部材の遠位端が前記開口部の近くに位置する）の間を軸方向に移動し得る器具。
【請求項２】
前記２番目の部材の前記２番目の細長い本体が前記遠位端に円錐形先端を含有する請求項１記載の器具。
【請求項３】
前記１番目の部材が前記近位端に取っ手部を含有していて前記取っ手部が前記１番目の細長い本体に対して横方向に伸びている請求項１記載の器具。
【請求項４】
更に、前記２番目の部材が前記１番目の位置にある時に前記１番目と２番目の部材を互いに関して軸方向に拘束するように作られている固定装置も含有して成る請求項１記載の器具。
【請求項５】
前記固定装置が前記２番目の部材上に位置する掛け金部材および前記１番目の部材上に位置するフランジを含有する請求項４記載の器具。
【請求項６】
前記掛け金部材が固定位置（前記掛け金部材の一部が前記フランジの一部の下にありかつそれによって軸方向に拘束されている）と非固定位置（前記掛け金部材の前記部分が前記掛け金用フランジに拘束されていない）の間を回転自在に動き得る請求項５記載の器具。
【請求項７】
前記掛け金部材が一対の向かい合うように位置する凹面を含有する請求項５記載の器具。
【請求項８】
前記フランジが２番目の部分から横方向に間隔を置いて位置する１番目の部分を含有していて前記１番目と２番目の部分の各々が前記掛け金部材の前記凹面の大きさおよび形状に相当する凸状に湾曲した部分を含有する請求項７記載の器具。
【請求項９】
前記フランジが前記１番目の部材の近位接面上に位置する請求項５記載の器具。
【請求項１０】
更に前記１番目の部材の前記細長い本体の１番目の側面から横方向に伸びるプラットフォームも含有して成る請求項１記載の器具。
【請求項１１】
更に前記１番目の部材の前記１番目の細長い本体の２番目の側面に位置していて分配装置とかみ合うように作られている取り付け部分も含有して成る請求項１０記載の器具。
【請求項１２】
前記取り付け部分が前記開口部につながるように伸びている通路を含有する請求項１１記載の器具。
【請求項１３】
更に前記取り付け部分とかみ合いかつ前記通路の中に品目を１個以上分配するように作
られている分配装置も含有して成る請求項１２記載の器具。
【請求項１４】
前記２番目の部材が前記２番目の位置にある時に前記１個以上の品目が前記開口部を通って移動して前記１番目の部材の前記細長い穴の中に入り得る請求項１３記載の器具。
【請求項１５】
前記分配装置に多数の有害生物防除剤含有カプセルが入る請求項１３記載の器具。
【請求項１６】
更に前記多数の有害生物防除剤含有カプセルを前記分配装置から選択的に制御放出するように作られている放出部材も含有して成る請求項１５記載の器具。
【請求項１７】
更に多数のカプセルが入る分配装置も含有して成っていて前記多数のカプセルの各々が有害生物防除剤組成物を封じ込める外郭構造壁を含有しかつゼラチン物質を含有する請求項１記載の器具。
【請求項１８】
前記２番目の部材が前記２番目の位置にある時に前記分配装置が前記多数のカプセルの１つ以上を前記１番目の部材の前記細長い穴の中に分配するように作られている請求項１７記載の器具。
【請求項１９】
器具であって、
細長い穴が中を通って伸びている１番目の部材、
前記１番目の部材の細長い穴の中を軸方向に移動し得る２番目の部材、および
１個以上の品目を地中に位置させる時にそれらが前記細長い穴の少なくとも一部を通って前記１番目の部材の末端を過ぎて伸びている前記２番目の部材の先端によって少なくともある程度形成された穴の中に導かれるように作られている搬送通路、
を含有して成る器具。
【請求項２０】
更に、前記搬送通路と連結していて各々が有害生物防除剤組成物を封じ込める外郭構造壁を含有しかつゼラチン物質を含有する数多くのカプセルが入る分配装置も含有して成る請求項１９記載の器具。
【請求項２１】
前記有害生物防除剤組成物に燻蒸剤が含まれる請求項２０記載の器具。
【請求項２２】
前記燻蒸剤が１，３−ジクロロプロペンである請求項２１記載の器具。
【請求項２３】
前記２番目の部材の少なくとも一部が前記細長い穴の中に位置する時に前記分配装置が前記１個以上の品目を前記細長い穴の中に分配するように作られている請求項２０記載の器具。
【請求項２４】
少なくとも１個の品目を地中の穴の中に位置させる方法であって、
外側部材の中を軸方向に移動可能な内側部材を含有する器具の先端を地面の中に挿入することで前記穴を生じさせ、
前記内側部材を前記穴から引き抜き、そして
前記内側部材の少なくとも一部を前記外側部材の中に残存させながら前記少なくとも１個の品目を前記外側部材の中に通して前記穴の中に入れる、
ことを含んで成る方法。
【請求項２５】
前記少なくとも１個の品目に各々が有害生物防除剤組成物を封じ込めている外郭構造壁を含有しかつゼラチン物質を含有する数多くのカプセルを含める請求項２４記載の方法。
【請求項２６】
前記有害生物防除剤組成物に燻蒸剤を含める請求項２５記載の方法。
【請求項２７】
前記燻蒸剤が１，３−ジクロロプロペンである請求項２６記載の方法。
【請求項２８】
前記器具の先端を地面の中に挿入することを前記外側部材の末端から伸びている前記内側部材の先細末端を用いて実施しそして前記外側部材の末端を地面と接触させる前に前記内側部材の前記先細末端を前記地面と接触させておくことを包含する請求項２４記載の方法。
【請求項２９】
前記少なくとも１個の品目を前記外側部材の中に通して前記穴の中に入れることを前記外側部材の一部が前記穴の中にあるままの状態で実施する請求項２４記載の方法。
【発明の詳細な説明】
【関連出願に対する相互参照】
【０００１】
本出願は、２０１２年７月３１日付けで出願した米国仮特許出願番号６１／６７７，５９１（これの内容は引用することによって全体が本明細書に組み入れられる）に対する優先権を主張するものである。
【背景技術】
【０００２】
本出願は１個以上の品目を地中に配置または位置させること、排他的ではないがより詳細には、穴を地面の中に生じさせた後にその穴の中に１個以上の品目を位置させるための通路を生じさせるに適した構造の器具およびそのような器具を使用するための技術に関する。
【０００３】
特定の技術分野では特定の品目を地中に配置または位置させるための新規な方策の必要性が増してきている。例えば、限定するものでないが、農業の目的で用いられる種子には１種以上の組成物の外被膜または他の層が含まれている可能性があり、そのような組成物には例えば有害生物防除剤組成物、肥料組成物およびそれらの組み合わせなどが含まれる。ある場合には、とりわけ外被膜または他の層が障害を受けないようにする目的で、それらおよび他の種子を個別かつ選択的に位置させる方が好ましい可能性がある。さらなる例として、所望組成物をその所望組成物で処理する必要のある畑、林、果樹園または他の植物が生育する環境または場所に搬送する目的で搬送用媒体、例えば注入後に分解を起こすように作られているカプセルなどを用いることも可能である。そのようなカプセルはとりわけ有害生物防除剤組成物、肥料組成物およびそれらの組み合わせを放出する能力を有するが、それらは現在の配置技術を用いたのでは取り扱い中に分解または崩壊を起こし易い構造を含んでいる結果として当該組成物があまりにも早期にそれらから放出される可能性がある。当該カプセルが意図した機能に適切でないと、そのカプセルから当該組成物があまりにも早期に放出され、このことによってまたそれの取り扱い者が好ましくなくその放出される組成物に接触する可能性も生じる。従って、本技術分野ではさらなる改良が必要とされている。
【発明の概要】
【０００４】
１個以上の品目を地中に配置または位置させるための器具および技術を提供する。１つの面として、穴を地面の中に生じさせた後にその穴の中に１個以上の品目を位置させるための通路を生じさせるに適した構造の器具を作成する。１つの形態として、本器具を用いて地中に配置または位置させることが可能な品目には、非限定例をほんの少し挙げるとすると、農産物、例えば種子または搬送用媒体などが含まれ得、それには１種以上の肥料または有害生物防除剤またはこれらの物質の組み合わせが含まれる。
【０００５】
１つの態様における器具には、近位端と遠位端の間を伸びている１番目の細長い本体を含有する１番目の部材が備わっている。その１番目の細長い本体には細長い穴および前記細長い穴につながっている開口部が備わっている。その開口部は前記１番目の細長い本体の近位と遠位端の間に位置する。本器具にはまた近位端と遠位端の間を伸びている２番目の細長い本体を含有する２番目の部材も備わっている。その２番目の部材は前記１番目の部材の細長い穴の中で１番目の位置（前記１番目と２番目の部材が互いに関して軸方向に拘束されておりかつ前記２番目の部材の遠位端が前記１番目の部材の遠位端から遠く離れて位置する）と２番目の位置（前記２番目の部材の遠位端が前記開口部の近くに位置する）の間を軸方向に移動し得る。
【０００６】
別の態様における器具には、細長い穴が中を通って伸びている１番目の部材、前記１番
目の部材の細長い穴の中を軸方向に移動し得る２番目の部材、および１個以上の品目を地中に位置させる時にそれらが前記細長い穴の少なくとも一部を通って前記１番目の部材の末端を過ぎて伸びている前記２番目の部材の先端によって少なくともある程度形成された穴の中に導かれるように作られている搬送通路が備わっている。
【０００７】
更に別の態様において、少なくとも１個の品目を地中の穴の中に位置させる方法は、器具の先端を地面の中に挿入することで穴を生じさせることを包含する。前記器具には外側部材の中を軸方向に移動可能な内側部材が備わっている。この方法は、また、前記内側部材を前記穴から引き抜きそして前記内側部材の少なくとも一部を前記外側部材の中に残存させながら前記少なくとも１個の品目を前記外側部材に通して前記穴の中に入れることも包含する。
【０００８】
他の面には、１個以上の品目を地中に配置または位置させることに関する独特な方法、システム、考案物、キット、アセンブリ、装置および／または器具が含まれる。
【０００９】
詳細な説明およびそれに関連させて提供する図からさらなる面、態様、形態、特徴、利益、目的および利点が明らかになるであろう。
【図面の簡単な説明】
【００１０】
【図１】図１は、１個以上の品目を地中に位置させるように作成した器具の平面図である。
【図２】図２は、図１に例示した器具の代替平面図であるが、図１に例示したいくつかの構成要素を省いてある。
【図３】図３は、図１に例示した器具の近位端部分の拡大透視図である。
【図４】図４は、図２に示した視線４−４に沿って取った図１例示器具の近位端部分の断面図である。
【図５】図５は、図１に例示した器具の近位端部分に備わっている掛け金部材の透視図である。
【図６】図６は、図１に例示した器具の代替平面図であるが、図１に例示したいくつかの構成要素を省いてある。
【図７Ａ−７Ｂ】図７Ａおよび７Ｂは、図２に示した視線７−７に沿って取った図１例示器具の断面図である。
【代表的態様の詳細な説明】
【００１１】
本発明の原理の理解を助長する目的で、ここに本図に例示する態様を言及しかつ具体的言語を用いてそれを説明する。しかしながら、それによって本発明の範囲を限定することを意図するものでなく、その例示する考案物に示すそのような変形およびさらなる改善および考えられるそこに例示する如き本発明の原理のさらなる適用は本発明が関係する技術分野の技術者に通常思い浮かぶであろうことは理解されるであろう。
【００１２】
１個以上の品目を地中に配置または位置させるためのシステム、考案物、器具および技術を提供する。１つの面では、穴を地面の中に生じさせた後にその穴の中に１個以上の品目を位置させるための通路を生じさせるに適した構造の器具を作成する。１つの形態では、本器具を用いて地中に配置または位置させることが可能な品目には、非限定例をほんの少し挙げるとすると、農産物、例えば種子または搬送用媒体などが含まれ得、それには１
種以上の肥料または有害生物防除剤またはこれらの物質の組み合わせが含まれる。
【００１３】
ここに図１を参照して、１個以上の品目を地中に配置または位置させるように作成した器具１０の非限定態様を平面図で例示する。器具１０には、近位端１６と相対する遠位端１８の間を縦軸Ｌに沿って伸びている細長い本体１４を有する１番目の部材１２が備わっている。この例示形態における細長い本体１４には、１番目の部材１２を地面の中に少なくともある程度挿入する必要がある場合にそれを助長するのに役立つように、遠位端１８から近接して伸びている面取りした面または先端面取り部が備わっている。例示していないが、そのような面取りした面または先端面取り部を省いた形態も可能であると理解されるべきである。１番目の部材１２にはまた細長い本体１４の近位端１６と遠位端１８の間を伸びていてそれらを通して開放されている細長い穴２０（図７Ａおよび７Ｂ）も備わっている。図６、７Ａおよび７Ｂに例示するように、開口部２２が細長い本体１４を貫くように横方向に伸びていて細長い穴２０につながっている。開口部２２は近位端１６と遠位端１８の間に位置していて、一般に１個以上の品目を細長い穴２０に送り込むのを助長するような形態になっている（これのさらなる詳細を以下に示す）。１番目の部材１２にはまた一対の向かい合うように位置する取っ手２４、２６も備わっていて、それらは近位端１６に隣接して位置する。この例示形態における取っ手２４、２６は、縦軸Ｌに対して横方向に伸びていて、一般に作業者が器具１０を取り扱い易くなるような形態になっている。
【００１４】
器具１０には更に近位端３２と遠位端３４の間を伸びている細長い本体３０（図４、７Ａおよび７Ｂ）を有する２番目の部材２８も備わっている。近位端３２には、作業者の操作を助長しかつ１番目の部材１２に対する２番目の部材２８の制御を助長するような形態の丸い取っ手３６も備わっている。細長い本体３０の先端部分には先が細くなった部分３８が備わっていて、遠位端３４に隣接して位置する。先が細くなった部分３８は、器具１０を地面の中に押し込んだ時に穴が生じるのを助長するような形態になっており、そして他の非例示形態では、その穴を生じさせるのに役立つ１つ以上のカッティングフルート（ｃｕｔｔｉｎｇ  ｆｌｕｔｅｓ）または同様な機構を備えることも可能である。図１に例示するように、例えば細長い本体３０は１番目の部材１２の中を先が細くなった部分３８および遠位端３４が１番目の部材１２の遠位端１８から遠ざかるように伸びている。このような構造配置にすると、最初に器具１０を地面の中に押し込んだ時に先が細くなった部分３８が穴を生じさせ始めそして器具１０を徐々に地面の中に押し込むにつれて１番目の部材１２を前記穴の中に導く。
【００１５】
この上で考察しなかったが、２番目の部材２８は細長い穴２０の中を縦軸Ｌに沿って１番目の部材１２に対して回転および軸方向の両方に移動し得ると理解されるべきである。しかしながら、器具１０の形態は、図１に示した１番目と２番目の部材１２、２８の相対的位置が維持されるように、１番目の部材１２に対する２番目の部材２８の軸方向の動きを選択的に拘束するような形態になっている。２番目の部材２８がこのような様式で軸方向に拘束されると、器具１０を地面の中に押し込んで穴を生じさせる時にそれが１番目の部材１２に対して近位方向に押しやられるのが防止される。このようにして、先が細くなった部分３８は、器具１０を地面の中に徐々に押し込んで穴を生じさせようとする時に器具１０の先端部分であり続ける。加うるに、穴を生じさせている間に図１に示した１番目と２番目の部材１２、２８の相対的位置を維持すると土、岩および他の屑が細長い穴２０を詰まらせるか或は他の様式の詰まりを起こさせないようになると理解されるべきである。同様に、その穴を生じさせた後に２番目の部材２８を近位に向けて軸方向に引き抜くことができ、その結果として、その生じさせた穴の中に１個以上の品目を位置させるための搬送用通路が細長い穴２０によって生じる（これのさらなる詳細を以下に示す）。
【００１６】
この例示形態における器具１０には、２番目の部材２８が１番目の部材１２に対して軸
方向に動かないようにしそして他の様式で図１に示した１番目と２番目の部材１２、２８の相対的位置を維持するような構造になっている固定装置４０が備わっており、図１では先が細くなった部分３８が１番目の部材１２の遠位端１８を越えて遠ざかるように伸びている。固定装置４０に関するさらなる詳細をここに図３（この図は器具１０の近位端部分の拡大透視図である）および図４（この図は図２の視線４−４に沿って取った器具１０の近位端部分の断面図である）に関連させて示す。固定装置４０には掛け金部材４２（これは２番目の部材２８上に位置する）およびフランジ４４（これは１番目の部材１２上に位置する）が備わっている。フランジ４４は一般に一対の部分４４ａ、４４ｂ（これらは向かい合って位置しかつ１番目の部材１２の近位接面１７上で互いに横方向に間隔を置いて位置する）で限定されている。部分４４ａには張り出し部分４６ａが含まれていて、それが部分４４ａと近位接面１７の間の空間４８ａを限定している。張り出し部分４６ａにはまた部分４４ｂに面する凸状円形部分５０ａも含まれている。部分４４ｂには、部分４４ｂと近位接面１７の間の空間４８ｂを限定している張り出し部分４６ｂが備わっている。張り出し部分４６ｂにはまた部分４４ａに面する凸状円形部分５０ｂも含まれている。
【００１７】
例えば図５で最も良く分かるであろうように、掛け金部材４２には凹部分５６の反対側に位置する凹部分５４が含まれている。凹部分５４、５６は末端部分５８と６０の間に位置していて、それらのそれぞれに止め具６２および６４が備わっている。再び図３および４を参照して、掛け金部材４２の末端部分５８、６０の大きさおよび構造はフランジ４４の部分４４ａ、４４ｂのそれぞれによって生じた空間４８ａ、４８ｂに適合するようになっている。加うるに、２番目の部材２８が図３および４に例示した部分の所まで回転すると止め具６２および６４がフランジ４４の部分４４ａおよび４４ｂと接触することで２番目の部材２８が回転し続けないようにしかつまた器具１０の作業者に掛け金部材４２の末端部分５８、６０が空間４８ａ、４８ｂの中に位置するといった触知性指示を与える。フランジ４４がそのような位置に来ると１番目および２番目の部材１２、２８の互いに関係した軸方向の動きが防止されかつまたそれらの間の相対的位置（例えば図１に例示する）も維持される。１番目の部材１２に対する２番目の部材２８の軸方向の拘束がもはや必要でなくなると、２番目の部材２８が１番目の部材１２に対して回転することができるようになることで、掛け金部材４２の凹部分５８、６０が相当する大きさおよび形状の凸状円形部分５０ａ、５０ｂ（部分４４ａ、４４ｂの）と整列する。このような様式で整列すると２番目の部材２８の位置を１番目の部材１２に対して軸方向に遠く離れるように変えることができる。
【００１８】
この例示形態では、掛け金部材４２がフランジ４４とかみ合っている時、１番目の部材１２に対する２番目の部材２８の軸方向の動きが近位および遠位で拘束されている。代替形態では、掛け金部材がフランジ４４とかみ合っているか或は他の様式でそれとかみ合うような回転位置にある時に１番目の部材１２に対して２番目の部材２８が近位および遠位の軸方向の動きをある程度起こすような構造を器具１０に与えることも可能であると考えている。例えば、そのような１つの形態では、空間４８ａ、４８ｂの近位−遠位方向の寸法を掛け金部材４２の厚みより大きくすることも可能である。このような形態では、２番目の部材２８が最も近位に位置する時にフランジ４４によって拘束されている場合の掛け金部材４２およびフランジ４４の位置は先が細くなった部分３８および遠位端３４が１番目の部材１２の遠位端１８から遠く離れた位置のままであるような位置であり得る。また、２番目の部材２８が１番目の部材１２に対して軸方向に拘束される他の配置も可能であることも理解されるべきである。例えば、固定装置４０に加えてか或はそれの代わりとして、それらの間の軸方向の動きを拘束する目的で、器具の構造を１番目の部材１２の中を伸びていて２番目の部材２８に面するように位置するか或は少なくともある程度２番目の部材２８の中に伸びているピンを含むような構造にすることも可能である。別の例として、１番目の部材１２および２番目の部材２８の片方または両方に、それらの間の軸方向の動きを拘束する目的で、１番目の部材１２および２番目の部材２８の他方の中の相当する
へこみまたは穴に適合するバネ仕掛け戻り止めまたは他の突き出し部分を与えることも可能である。この上に示した例は非限定例であり、他も可能でありかつ考えられると理解されるべきである。
【００１９】
図１に戻って参照して、器具１０にはまた１番目の部材１２の１番目の側面から横方向に伸びているプラットフォーム６６も備わっている。プラットフォーム６６の形態は一般に作業者が足を乗せることができる形態であり、それによって穴を生じさせている間に器具１０を地面の中に押し込む時にそれに力をかけることができ、そしてそれにも同様に粗い上面を含めるか或は他のつかみ特徴を与えることも可能である。この例示形態の器具１０に備わっているプラットフォーム６６は１個のみであるが、１対のプラットフォーム６６を互いに向かい合うように位置させた形態も可能であると理解されるべきである。取り付け部分６８がプラットフォーム６６の反対側に１番目の部材１２から横方向に伸びており、それの形態は分配装置７０とかみ合うような形態である。プラットフォーム６６および取り付け部分６８は器具１０を地面に挿入することが可能な深さを制限する止め具として働き得ると理解されるべきである。１つの形態では、２番目の部材２８の遠位端３４とプラットフォーム６６および取り付け部分６８の間の距離、従って器具１０を地面に挿入することが可能な深さを１から１８インチの範囲にする。更に別の形態では、２番目の部材２８の遠位端３４とプラットフォーム６６および取り付け部分６８の間の距離を２から１６インチの範囲にする。更に別の形態では、２番目の部材２８の遠位端３４とプラットフォーム６６および取り付け部分６８の間の距離を３から１４インチの範囲にする。更に別の形態では、２番目の部材２８の遠位端３４とプラットフォーム６６および取り付け部分６８の間の距離を４から１２インチの範囲にする。しかしながら、２番目の部材２８の遠位端３４とプラットフォーム６６および取り付け部分６８の間の距離の代替値も可能であると理解されるべきである。加うるに、１つの非例示形態では、プラットフォーム６６および取り付け部分６８から遠く離れて位置していて器具１０を地面に挿入することが可能な深さを制御する調整可能な深さ止め具を器具１０に設けることも可能である。
【００２０】
図７Ａおよび７Ｂに例示するように、取り付け部分６８には分配装置７０を上に位置させることが可能な取り付け表面７２が備わっている。１番目の開口部７４が表面７２を貫いて伸びていて取り付け部分６８の中に形成されている通路７６とつながっている。取り付け部分６８には、１番目の開口部７４の反対側に、通路７６および１番目の開口部２２とつながるように位置する２番目の開口部７８が備わっている。同様に、１番目の開口部７４、通路７６、２番目の開口部７８および開口部２２の配置は１番目の開口部７４に通して送り込むいずれかの品目が細長い穴２０の中に導かれるような配置であると理解されるべきである。図７Ａに示すように、２番目の部材２８の遠位端３４が開口部２２から遠く離れた場所に位置する時、例えば穴を生じさせている間に１番目と２番目の部材１２、２８が互いに軸方向に拘束されている時、細長い本体３０が開口部２２を塞いでいることで品目が細長い穴２０の中に入らないようになっている。しかしながら、例えば図７Ｂに例示するように、２番目の部材２８が１番目の部材１２に対して遠く離れるように移動しかつ２番目の部材２８の遠位端３４が開口部２２の近位に位置するようになった時、開口部２２はもはや細長い本体３０で塞がれてはおらず、品目は細長い穴２０の中に入り込んで、器具１０によって生じさせた穴の中に導かれる。
【００２１】
分配装置７０を取り付け表面７２の上に位置させて取り付け部分６８とかみ合わせる。１つの形態では、分配装置７０を例えばねじ構造または差し込みロックなどを用いて取り付け部分６８と取り外し可能なようにかみ合わせることも可能であるが、他の構造配置も使用可能であると理解されるべきである。分配装置７０には多数の品目（後で細長い穴２０の中に分与することが可能）を保持するような形態の容器８８が備わっている。取り外し可能なカバー８２を分配装置７０の近位端に位置させることで容器８８の充填を容易にする。分配装置７０はまた容器８８に入っている品目の放出を選択的に制御するような形
態の放出部材８０も備わっている。放出部材８０をケーブル８４でバネ仕掛けまたは他の様式のバイアスレバー８６の形態の作動装置とも連結している。１つの形態の放出部材８０は一般にレバー８６を作動させるまでは容器８８の内容物が放出されることがないようにそれの遠位端にある開口部を覆うか或は塞いでいてもよい。同様に、レバー８６を作動させると、放出部材８０が横方向に追いやられることで容器８８の遠位端にある開口部はもはや塞がれていないことで容器８８に収められている品目の１つ以上が取り付け部分６８の開口部７４を通って細長い穴２０の方向に導かれ得る。他の形態では、放出部材８０の形態を特にレバー８６を作動させる毎に容器８８に収められている品目が１個のみ放出されるような形態にすることも可能であると考えている。例えば、１つのそのような形態では、分配装置７０の形態を適切な構造配置の回転式分配装置にすることも可能である。この上で考察しなかったが、器具１０の作業者は容器８８から品目が放出されるタイミングを器具１０で穴を生じさせた後であるが細長い穴２０および開口部２２が２番目の部材２８で塞がれなくなるまで制御することができると理解されるべきである。加うるに、分配装置７０の具体的構造配置に応じて、器具１０の作業者は、一般にまたは具体的に、容器８８から放出されて器具１０によって生じさせた穴の中に置く品目の数を制御することができる。
【００２２】
また、取り付け部分６８および分配装置７０の片方または両方を存在させないか或は代わりの構造にする形態も考えられる。例えば、１つの非例示形態では、分配装置７０を省いて器具１０で生じさせた穴の中に配置すべき品目を取り付け部分６８の１番目の開口部７２に通して直接位置させることも可能である。別の非例示形態では、ガイドチューブまたは他の通路が取り付け部分６８から取っ手２４、２６の片方または両方に隣接する所まで近付くように伸びていているようにしてもよく、それによって遠く離れるように伸びていて細長い穴２０とつながっている搬送通路を生じさせることも可能である。この形態では、分配装置７０を省いて、品目を取っ手２４、２６の片方または両方に隣接する所に位置するガイドチューブの中に直接入れるか、或は分配装置７０を取っ手２４、２６の片方または両方に隣接する場所でガイドチューブの上に取り付けることも可能である。更に別の形態では、取り付け部分６８を省いて品目を開口部２２の中に直接入れて細長い穴２０に向かわせることも可能である。更に別の形態では、取り付け部分６８および開口部２２を省くことも可能であり、２番目の部材２８を軸方向に引き抜いて１番目の部材１２から取り除いた時に近位端１６から器具１０によって生じた穴に向かう搬送通路が細長い穴２０に生じるようにする。加うるに、レバー８６を用いる代わりに電気機械または他の適切な機器構成を作動装置として分配装置７０に設けることも可能であるとも更に考えている。１つの非限定形態では、例えば制御装置を取っ手２４、２６の一方に位置させて分配装置７０とつなげることも可能であり、それによって容器８８から品目を放出するための指令を出すことができる。この上に示してきたにも拘らず、取り付け部分６８および分配装置７０の片方または両方に関して追加的機器構成も考えられかつ可能であると理解されるべきである。
【００２３】
器具１０を用いて穴を生じさせた後に１個以上の品目をその中に入れるための非限定技術に関するさらなる詳細をここに示す。１番目と２番目の部材１２、２８の軸方向の相対的位置が拘束されていて先が細くなった部分３８が１番目の部材１２の遠位端１８から遠のくように伸びている時、器具１０の作業者は２番目の部材２８の遠位端３４を地面に接触させることができる。次に、下方に向かう力を器具１０にかけることでその器具の先端を地面の中に押し込み、それによって２番目の部材２８の先が細くなった部分３８および１番目の部材１２の一部の片方または両方によって穴を生じさせることができる。所望の深さの穴が生じた時点で１番目の部材１２に対する２番目の部材２８の軸方向の拘束を解放することで、２番目の部材２８を細長い本体３０がもはや開口部２２を塞ぐことがなくなる所まで１番目の部材１２に近付く方向に軸方向に動かすことができる。１番目の部材１２の一部が穴の中に入ったままであるか或は細長い穴２０が前記穴と軸方向に配列した
ままであるように１番目の部材１２の位置を維持してもよい。２番目の部材２８をこの上に記述した様式で位置させた時点で１個以上の品目を分配装置７０から細長い穴２０の中に放出させると、それによってそれは器具１０で生じさせた穴の中に導かれる。必要な数の品目を器具１０で生じさせた穴の中に入れた後、器具１０を前記穴から取り除きそして場合によりその穴を土または他の充填材料で覆ってもよい。この技術を必要の数の品目が地中に配置されるまで所定領域内で何回でも場合により所望のパターンまたは配列で繰り返してもよい。
【００２４】
この上で考察を行わなかったが、器具１０を用いて多種多様な品目を地中に位置または配置することができると理解されるべきである。１つの形態として、そのような品目には農産物、例えば種子または搬送用媒体などが含まれ得、それには１種以上の肥料または有害生物防除剤またはこれらの物質の組み合わせが含まれる。本明細書で用いる如き用語“有害生物防除剤”には除草剤、殺菌・殺カビ剤、殺虫剤および殺菌剤が含まれることを意図する。同様に、個々の形態の有害生物防除剤組成物に応じて、この開示する搬送用媒体の標的となり得る有害生物には、昆虫、植物病原体、雑草、軟体動物、線虫および微生物が含まれる。しかしながら、前記は単なる非限定例であると理解されるべきである。
【００２５】
１つの面における搬送用媒体は、有害生物の防除が必要な場所にカプセルを投与するまでは有害生物防除剤組成物の放出に抵抗するような形態のカプセルである。このカプセルの形態は更に有害生物の防除が必要な場所に投与した後に分解して前記有害生物防除剤の放出を助長するような形態にもなっている。特定の形態では、また、カプセルの形態を有害生物防除剤組成物の放出の様々な面を制御するような形態にするが、それには例えば放出時間および放出速度が含まれる。１つの特定の非限定形態のカプセルには、ゼラチン物質を含有していて有害生物防除剤組成物を封じ込めている外郭構造壁が備わっており、そのような有害生物防除剤組成物には燻蒸剤、例えば１，３−ジクロロプロペンなどが含まれる。器具１０を用いて地中に配置または位置させることが可能なこの種類および他の種類のカプセルの形態に関するさらなる詳細が米国仮特許出願番号６１／６４０，３９２（これの内容は引用することによって全体が本明細書に組み入れられる）に見られる。前記を鑑み、１つの非限定態様では、器具１０の分配装置７０に有害生物防除剤組成物を含有するカプセルを多数入れるが、他の形態の品目もしくはカプセルを分配装置７０に入れる形態も可能である。
【００２６】
器具１０を用いて地中に配置または位置させることが可能なカプセルに単独または組み合わせて入れることが可能な有害生物防除剤の他の例には、殺虫剤、例えば抗生物質系殺虫剤、大環状ラクトン系殺虫剤（例えばアベルメクチン系殺虫剤、ミルベマイシン系殺虫剤およびスピノシン系殺虫剤）、ヒ素系殺虫剤、植物性殺虫剤、カルバメート系殺虫剤（例えばベンゾフラニルメチルカルバメート系殺虫剤、ジメチルカルバメート系殺虫剤、オキシムカルバメート系殺虫剤およびフェニルメチルカルバメート系殺虫剤）、ジアミド系殺虫剤、乾燥剤系殺虫剤、ジニトロフェノール系殺虫剤、フッ素系殺虫剤、ホルムアミジン系殺虫剤、無機殺虫剤、昆虫成長調整剤（例えばキチン合成阻害剤、幼若ホルモン類似体、幼若ホルモン、脱皮ホルモン作動剤、脱皮ホルモン、脱皮阻害剤、プレコセンおよび分類分けされていない他の昆虫成長調整剤）、ネライストキシン類似殺虫剤、ニコチノイド系殺虫剤（例えばニトログアニジン系殺虫剤、ニトロメチレン系殺虫剤およびピリジルメチルアミン系殺虫剤）、有機塩素系殺虫剤、有機燐系殺虫剤、オキサジアジン系殺虫剤、オキサジアゾロン系殺虫剤、フタルイミド系殺虫剤、ピラゾール系殺虫剤、ピレスロイド系殺虫剤、ピリミジンアミン系殺虫剤、ピロール系殺虫剤、テトラミン酸系殺虫剤、テトロン酸系殺虫剤、チアゾール系殺虫剤、チアゾリジン系殺虫剤、チオ尿素系殺虫剤、尿素系殺虫剤に加えて分類分けされていない他の殺虫剤が含まれる。
【００２７】
殺虫剤のより詳細な例には、これらに限定するものでないが、ラバメクチン、アセフェ
ート、アセタミプリド、アセチオン、アセトプロール、アクリナトリン、アクリロニトリル、アラニカルブ、アルジカルブ、アルドキシカルブ、アルドリン、アレトリン、アロサミジン、アリキシカルブ、アルファ−シペルメトリン、アルファ−エンドスルファン、アミジチオン、アミノカルブ、アミトン、アミトラズ、アナバシン、アチダチオン、アザジラクチン、アザメチホス、アジンホス−エチル、アジンホス−メチル、アゾトエート、ヘキサフルオロケイ酸バリウム、バルトリン、ベンジオカルブ、ベンフラカルブ、ベンスルタップ、ベータ−シフルトリン、ベータ−シペルメトリン、ビフェントリン、ビオアレトリン、ビオエタノメトリン、ビオペルメトリン、ビオレスメトリン、ビストリフルロン、ホウ砂、ホウ酸、ホウ酸、ブロムフェンビンホス、ブロモシクレン、ブロモ−ＤＤＴ、ブロモホス、ブロモホス−エチル、ブフェンカルブ、ブプロフェジン、ブタカルブ、ブタチオホス、ブトカルボキシム、ブトネート、ブトキシカルボキシム、カズサホス、ヒ酸カルシウム、多硫化カルシウム、カンフェクロル、カルバノレート、カルバリル、カルボフラン、二硫化炭素、四塩化炭素、カルボフェノチオン、カルボスルファン、カルタップ、クロラントラニリプロール、クロルビシクレン、クロルダン、クロルデコン、クロルジメフォルム、クロレトキシホス、クロルフェナピル、クロルフェンビンホス、クロルフルアズロン、クロルメホス、クロロホルム、クロロピクリン、クロルホキシム、クロルプラゾホス、クロルピリホス、クロルピリホス−メチル、クロルチオホス、クロマフェノジド、シネリンＩ、シネリンＩＩ、シスメトリン、クロエトカルブ、クロサンテル、クロチアニジン、アセト亜ヒ酸銅、ヒ酸銅、ナフテン酸銅、オレイン酸銅、クマホス、クミトエート、クロタミトン、クロトキシホス、クルフォメート、クリオライト、シアノフェンホス、シアノホス、シアントエート、シクレトリン、シクロプロトリン、シフルトリン、シハロトリン、シペルメトリン、シフェノトリン、シロマジン、シチオエート、ＤＤＴ、デカルボフラン、デルタメトリン、デメフィオン、デメフィオン−Ｏ、デメフィオン−Ｓ、デメトン、デメトン−メチル、デメトン−Ｏ、デメトン−Ｏ−メチル、デメトン−Ｓ、デメトン−Ｓ−メチル、デメトン−Ｓ−メチルスルホン、ジアフェンチウロン、ジアリホス、ケイソウ土、ジアジノン、ジカプトン、ジクロフェンチオン、ジクロルボス、ジクレジル、ジクロトホス、ジシクラニル、ジエルドリン、ジフルベンズロン、ジロル、ジメフルトリン、ジメフォクス、ジメタン、ジメトエート、ジメトリン、ジメチルビンホス、ジメチラン、ジネックス、ジノプロプ、ジノサム、ジノテフラン、ジオフェノラン、ジオキサベンゾホス、ジオキサカルブ、ジオキサチオン、ジスルフォトン、ジチクロホス、ｄ−リモネン、ＤＮＯＣ、ドラメクチン、エクジステロン、エマメクチン、ＥＭＰＣ、エンペントリン、エンドスルファン、エンドチオン、エンドリン、ＥＰＮ、エポフェノナン、エプリノメクチン、エスフェンバレレート、エタホス、エチオフェンカルブ、エチオン、エチプロール、エトエート−メチル、エトプロホス、蟻酸エチル、エチル−ＤＤＤ、二塩化エチレン、酸化エチレン、エトフェンプロックス、エトリムホス、ＥＸＤ、ファンファー、フェナミホス、フェナザフロル、フェンクロルホス、フェネタカルブ、フェンフルトリン、フェニトロチオン、フェノブカルブ、フェノキサクリム、フェノキシカルブ、フェンピリトリン、フェンプロパトリン、フェンスルフォチオン、フェンチオン、フェンチオン−エチル、フェンバレレート、フィプロニル、フロニカミド、フルベンジアミド、フルコフロン、フルシクロクスロン、フルシトリネート、フルフェネリム、フルフェノクスロン、フルフェンプロックス、フルバリネート、ホノホス、ホルメタネート、ホルモチオン、ホルムパラネート、ホスメチラン、ホスピレート、ホスチエタン、フラチオカルブ、フレトリン、ガンマ−シハロトリン、ガンマ−ＨＣＨ、ハルフェノプロックス、ハロフェノジド、ＨＣＨ、ＨＥＯＤ、ヘプタクロル、ヘプテノホス、ヘテロホス、ヘキサフルムロン、ＨＨＤＮ、ヒドラメチルノン、シアン化水素、ヒドロプレン、ヒキンカルブ、イミダクロプリド、イミプロトリン、インドキサカルブ、ヨードメタン、ＩＰＳＰ、イサゾホス、イソベンザン、イソカルボホス、イソドリン、イソフェンホス、イソプロカルブ、イソプロチオラン、イソチオエート、イソキサチオン、イベルメクチン、ジャスモリンＩ、ジャスモリンＩＩ、ジョドフェンホス、幼若ホルモンＩ、幼若ホルモンＩＩ、幼若ホルモンＩＩＩ、ケレバン、キノプレン、ラムダ−シハロトリン、ヒ酸鉛、レピメクチン、エプトホス、リンダ
ン、リリムホス、ルフェヌロン、リチダチオン、マラチオン、マロノベン、マジドックス、メカルバム、メカルフォン、メナゾン、メホスホラン、塩化第一水銀、メスルフェンホス、メタフルミゾン、メタクリホス、メタミドホス、メチダチオン、メチオカルブ、メトクロトホス、メトミル、メトプレン、エトキシクロル、メトキシフェノジド、メチルクロロホルム、塩化メチレン、メトフルトリン、メトルカルブ、メトキサジアゾン、メビンホス、メキサカルベート、ミルベメクチン、ミルベマイシンオキシム、ミパフォックス、ミレックス、モノクロトホス、ホルホチオン、モキシデクチン、ナフタロホス、ナレド、ナフタレン、ニコチン、ニフルリジド、ニテンピラム、ニチアジン、ニトリラカルブ、ノバルロン、ノビフルムロン、オメトエート、オキサミル、オキシデメトン−メチル、オキシデプロホス、オキシジスルフォトン、パラ−ジクロロベンゼン、パラチオン、パラチオン−メチル、ペンフルロン、ペンタクロロフェノール、ペルメトリン、フェンカプトン、フェノトリン、フェントエート、ホレート、ホサロン、ホスフォラン、ホスメット、ホスニクロル、ホスファミドン、ホスフィン、ホキシム、ホキシム−メチル、ピリメタホス、ピリミカルブ、ピリミホス−エチル、ピリミホス−メチル、亜砒酸カリウム、チオシアン酸カリウム、ｐｐ′−ＤＤＴ、プラレトリン、プレコセンＩ、プレコセンＩＩ、プレコセンＩＩＩ、プリミドホス、プロフェノホス、プロフルトリン、プロマシル、プロメカルブ、プロパホス、プロペタムホス、プロポクスル、プロチダチオン、プロチオホス、プロトエート、プロトリフェンブト、ピラクロホス、ピラフルプロール、ピラゾホス、ピレスメトリン、ピレトリンＩ、ピレトリンＩＩ、ピリダベン、ピリダリル、ピリダフェンチオン、ピリフルキナゾン、ピリミジフェン、ピリミテート、ピリプロール、ピリプロキシフェン、カシア、キナルホス、キナルホス−メチル、キノチオン、ラフォキサニド、レスメトリン、ロテノン、リアニア、サバジラ、シュラダン、セラメクチン、シラフルオフェン、シリカゲル、亜砒酸ナトリウム、フッ化ナトリウム、ヘキサフルオロケイ酸ナトリウム、チオシアン酸ナトリウム、ソファミド、スピネトラム、スピノサド、スピロメシフェン、スピロテトラマト、スルコフロン、スルフルラミド、スルフォテップ、フッ化スルフリル、スルプロホス、タウ−フルバリネート、タジムカルブ、ＴＤＥ、テブフェノジド、テブフェンピラド、テブピリムホス、テフルベンズロン、テフルトリン、テメホス、ＴＥＰＰ、テラレトリン、テルブホス、テトラクロロエタン、テトラクロルビンホス、テトラメトリン、シータ−シペルメトリン、チアクロプリド、チアメトキサム、チクロホス、チオカルボキシム、チオシクラム、チオジカルブ、チオファノックス、チオメトン、チオスルタップ、ツリンギエンシン、トルフェンピラド、トラロメトリン、トランスフルトリン、トランスペルメトリン、トリアラテン、トリアザメート、トリアゾホス、トリクロルフォン、トリクロルメタホス−３、トリクロロナト、トリフェノホス、トリフルムロン、トリメタカルブ、トリプレン、バミドチオン、バニリプロール、ＸＭＣ、キシリルカルブ、ゼータ−シペルメトリン、ゾラプロホスおよびα−エクジソンが含まれる。
【００２８】
より多くの情報に関しては、ｈｔｔｐ：／／ｗｗｗ．ａｌａｎｗｏｏｄ．ｎｅｔ／ｐｅｓｔｉｃｉｄｅｓ／ｉｎｄｅｘ．ｈｔｍｌにある“Ｃｏｍｐｅｎｄｉｕｍ  ｏｆ  Ｐｅｓｔｉｃｉｄｅ  Ｃｏｍｍｏｎ  Ｎａｍｅｓ”を参照のこと。また、Ｃ  Ｄ  Ｓ  Ｔｏｍｌｉｎ編集の“Ｔｈｅ  Ｐｅｓｔｉｃｉｄｅ  Ｍａｎｕａｌ”、第１４版、Ｂｒｉｔｉｓｈ
Ｃｒｏｐ  Ｐｒｏｄｕｃｔｉｏｎ  Ｃｏｕｎｃｉｌによる著作権２００６も参照のこと。
【００２９】
有害生物防除剤を含有するカプセルを地下に配置または位置させる目的で器具１０を用いる形態において、そのカプセルを施す場所は有害生物が生息する如何なる場所であってもよく、それには、非限定可能性をほんの少し挙げるとすると、例えば野菜作物、果物および木の実の成る木、ブドウの木、草および観賞植物が生育する領域が含まれる。有害生物の防除は一般にある場所にいる有害生物の集団、活動または両方を減少させることを意味する。このことは有害生物の集団をある場所から撃退する場合、ある場所の中または辺りにいる有害生物の活動能力を奪う場合、またはある場所の中または辺りにいる有害生物
を完全またはある程度駆除する場合に起こり得る。勿論、これらの結果の組み合わせも起こり得る。
【００３０】
本図およびこの上に示した説明で本発明を例示および詳細に説明してきたが、それは例示として見なされるべきであり、特徴を制限するものでなく、示して説明してきた態様は特定態様のみであり、本発明の精神の範囲内に入るあらゆる変形および修飾形を保護することを望むことは理解されるであろう。この上で行った説明の中で用いた、好ましい、好適には、好適なまたはより好適な、の如き用語の使用は、そのように説明してきた特徴はより好ましい特徴であり得ることを示すものであるが、必ずしも必要ではない可能性があり、それらを含まない態様も本発明の範囲内であると考えることができ、本発明の範囲を以下の請求項で明確に示すと理解されるべきである。本請求項を読む時、“１つ”、“１個”、“少なくとも１”または“少なくとも１つの部分”などの如き用語を本請求項で用いる場合、本請求項で具体的に反対であると述べない限り、本請求項をただ１つの品目に限定することを意図するものでないことを意図する。“少なくとも一部”および／または“部分”の言語を用いる場合の品目には、具体的に反対であると述べない限り、品目の一部および／または全体が含まれ得る。
【図１】
2015531592.tif 000003
【図２】
2015531592.tif 000004
【図３】
2015531592.tif 000005
【図４】
2015531592.tif 000006
【図５】
2015531592.tif 000007
【図６】
2015531592.tif 000008
【図７Ａ】
2015531592.tif 000009
【図７Ｂ】
2015531592.tif 000010
【手続補正書】
【提出日】平成26年5月28日(2014.5.28)
【手続補正１】
【補正対象書類名】特許請求の範囲
【補正対象項目名】全文
【補正方法】変更
【補正の内容】
【特許請求の範囲】
【請求項１】
器具であって、
近位端と遠位端の間を伸びている１番目の細長い本体を含有していて前記１番目の細長い本体が細長い穴を含有しかつ前記細長い穴とつながっていて前記近位と遠位端の間に位置している開口部を含有する１番目の部材、
近位端と遠位端の間を伸びている２番目の細長い本体を含有する２番目の部材、
を含有して成っていて前記２番目の部材が前記１番目の部材の細長い穴の中で１番目の位置（前記１番目の部材に対する前記２番目の部材の近位方向への移動が妨げられておりかつ前記２番目の部材の遠位端が前記１番目の部材の遠位端から遠く離れて位置する）と２番目の位置（前記２番目の部材の遠位端が前記開口部の近くに位置する）の間を軸方向に移動し得る器具。
【請求項２】
前記２番目の部材の前記２番目の細長い本体が前記遠位端に円錐形先端を含有する請求項１記載の器具。
【請求項３】
前記１番目の部材が前記近位端に取っ手部を含有していて前記取っ手部が前記１番目の細長い本体に対して横方向に伸びている請求項１記載の器具。
【請求項４】
更に、前記２番目の部材が前記１番目の位置にある時に前記１番目と２番目の部材を互いに関して軸方向に拘束するように作られている固定装置も含有して成る請求項１記載の器具。
【請求項５】
前記固定装置が前記２番目の部材上に位置する掛け金部材および前記１番目の部材上に位置するフランジを含有する請求項４記載の器具。
【請求項６】
前記掛け金部材が固定位置（前記掛け金部材の一部が前記フランジの一部の下にありかつそれによって軸方向に拘束されている）と非固定位置（前記掛け金部材の前記部分が前
記掛け金用フランジに拘束されていない）の間を回転自在に動き得る請求項５記載の器具。
【請求項７】
前記掛け金部材が一対の向かい合うように位置する凹面を含有する請求項５記載の器具。
【請求項８】
前記フランジが２番目の部分から横方向に間隔を置いて位置する１番目の部分を含有していて前記１番目と２番目の部分の各々が前記掛け金部材の前記凹面の大きさおよび形状に相当する凸状に湾曲した部分を含有する請求項７記載の器具。
【請求項９】
前記フランジが前記１番目の部材の近位接面上に位置する請求項５記載の器具。
【請求項１０】
更に前記１番目の部材の前記細長い本体の１番目の側面から横方向に伸びるプラットフォームも含有して成る請求項１記載の器具。
【請求項１１】
更に前記１番目の部材の前記１番目の細長い本体の２番目の側面に位置していて分配装置とかみ合うように作られている取り付け部分も含有して成る請求項１０記載の器具。
【請求項１２】
前記取り付け部分が前記開口部につながるように伸びている通路を含有する請求項１１記載の器具。
【請求項１３】
更に前記取り付け部分とかみ合いかつ前記通路の中に品目を１個以上分配するように作られている分配装置も含有して成る請求項１２記載の器具。
【請求項１４】
前記２番目の部材が前記２番目の位置にある時に前記１個以上の品目が前記開口部を通って移動して前記１番目の部材の前記細長い穴の中に入り得る請求項１３記載の器具。
【請求項１５】
前記分配装置に多数の有害生物防除剤含有カプセルが入る請求項１３記載の器具。
【請求項１６】
更に前記多数の有害生物防除剤含有カプセルを前記分配装置から選択的に制御放出するように作られている放出部材も含有して成る請求項１５記載の器具。
【請求項１７】
更に多数のカプセルが入る分配装置も含有して成っていて前記多数のカプセルの各々が有害生物防除剤組成物を封じ込める外郭構造壁を含有しかつゼラチン物質を含有する請求項１記載の器具。
【請求項１８】
前記２番目の部材が前記２番目の位置にある時に前記分配装置が前記多数のカプセルの１つ以上を前記１番目の部材の前記細長い穴の中に分配するように作られている請求項１７記載の器具。
【請求項１９】
器具であって、
中を通って伸びている細長い穴を含有しかつ前記細長い穴につながっている側面開口部を含有する１番目の部材、
前記１番目の部材の細長い穴の中を１番目の位置（１個以上の品目が前記側面開口部から前記細長い穴の中に入らないようになっている）と２番目の位置（前記１個以上の品目が前記側面開口部から前記細長い穴の中に入るようになっている）の間を軸方向に移動し得る２番目の部材、および
１個以上の品目を地中に位置させる時にそれらが前記細長い穴の少なくとも一部を通って前記１番目の部材の末端を過ぎて伸びている前記２番目の部材の先端によって少なくともある程度形成された穴の中に導かれるように作られている搬送通路、
を含有して成る器具。
【請求項２０】
更に、前記搬送通路と連結していて各々が有害生物防除剤組成物を封じ込める外郭構造壁を含有しかつゼラチン物質を含有する数多くのカプセルが入る分配装置も含有して成る請求項１９記載の器具。
【請求項２１】
前記有害生物防除剤組成物に燻蒸剤が含まれる請求項２０記載の器具。
【請求項２２】
前記燻蒸剤が1,3-ジクロロプロペンである請求項２１記載の器具。
【請求項２３】
前記２番目の部材の少なくとも一部が前記細長い穴の中に位置する時に前記分配装置が前記１個以上の品目を前記細長い穴の中に分配するように作られている請求項２０記載の器具。
【請求項２４】
少なくとも１個の品目を地中の穴の中に位置させる方法であって、
外側部材の中を軸方向に移動可能な内側部材を含有する器具の先端を地面の中に挿入することで前記穴を生じさせ、
前記内側部材を前記穴から引き抜き、そして
前記少なくとも１個の品目を前記内側部材の下側で前記外側部材の中に横方向に入れそして前記内側部材の少なくとも一部を前記外側部材の中に残存させながら前記穴の中に入れる、
ことを含んで成る方法。
【請求項２５】
前記少なくとも１個の品目に各々が有害生物防除剤組成物を封じ込めている外郭構造壁を含有しかつゼラチン物質を含有する数多くのカプセルを含める請求項２４記載の方法。
【請求項２６】
前記有害生物防除剤組成物に燻蒸剤を含める請求項２５記載の方法。
【請求項２７】
前記燻蒸剤が1,3-ジクロロプロペンである請求項２６記載の方法。
【請求項２８】
前記器具の先端を地面の中に挿入することを前記外側部材の末端から伸びている前記内側部材の先細末端を用いて実施しそして前記外側部材の末端を地面と接触させる前に前記内側部材の前記先細末端を前記地面と接触させておくことを包含する請求項２４記載の方法。
【請求項２９】
前記少なくとも１個の品目を前記外側部材の中に通して前記穴の中に入れることを前記外側部材の一部が前記穴の中にあるままの状態で実施する請求項２４記載の方法。
【国際調査報告】
2015531592.tif 000011